(57)【特許請求の範囲】
【請求項１】
ＤＶＤやＣＤ等を収容した貸出しケースの上端部を突出して収納する陳列ケースにおいて、間には薄肉の繋ぎ部を形成した左側板、右側板、及び背板を有して外表面にはタイトル紙を挟み込む透明シートを貼着し、上記左側板は左正面板と左底板を有し、右側板は右正面板と右底板を有し、そして左正面板には左係止部を表面側に設けて凹部を形成し、同じく右正面板には右係止部を表面側に設けて凹部を形成し、右底板との間に隙間を残して内側にガイド片を設け、左底板の背板側には上方へ傾斜したガイド片を形成し、又、右側板には凹部右底板と凹部右補助底板を内側に起立すると共に間の隙間には左側板から内側に起立する凹部左底板を嵌入し、さらに左側板から内側に起立して設けたガイド片を右正面板と凹部右補助底板との間に形成した空間に嵌めたことを特徴とするＤＶＤ等のレンタル用陳列ケース。
【請求項２】
上記左底板に代わって、右底板の背板側に上方へ傾斜したガイド片を形成した請求項１記載のＤＶＤ等のレンタル用陳列ケース。
【請求項３】
左側板には凹部左底板と凹部左補助底板を内側に起立すると共に間の隙間には右側板から内側に起立する凹部右底板を嵌入し、さらに右側板から内側に起立して設けたガイド片を左正面板と凹部左補助底板との間に形成した空間に嵌めた請求項１、又は請求項２記載のＤＶＤ等のレンタル用陳列ケース。
【請求項４】
左側板及び右側板の先端側表面に、左正面板と右表面板に平行して低いリブを形成した請求項１、請求項２、又は請求項３記載のＤＶＤ等のレンタル用陳列ケース。
【発明の詳細な説明】
【技術分野】
【０００１】
本発明はＤＶＤ、ＣＤ等の記録媒体をレンタルする為に、レンタル用ケースを収容して棚に陳列することが出来る陳列ケースに関するものである。
【背景技術】
【０００２】
図７はビデオ等のレンタル店における貸出し形態を表しており、同図の（イ）は陳列ケース、（ロ）は貸出しケースを示している。該貸出しケース（ロ）の内部にはＤＶＤやＣＤが収容され、貸出しケース（ロ）ごと貸し出される。陳列ケース（イ）はレンタル店の陳列棚に配列され、顧客はこの陳列ケース（イ）に収納されている貸出しケース（ロ）を抜き取って借りることが出来る。
【０００３】
ところで、ＤＶＤやＣＤを収容している貸出しケース（ロ）はロックされている為に、貸出しカウンターにて解除した状態で貸出しケース（ロ）と共に貸し出されるが、顧客が貸出しケース（ロ）を抜き取り易いように、陳列ケース（イ）から上端部が突出した状態で陳列している。そして、該陳列ケース（イ）の表面にはタイトル紙が取付けられるが、該タイトル紙は陳列ケースの表面に貼着している透明シートに挟まれている。
【０００４】
タイトル紙は貸出しケース（ロ）に収容されているＤＶＤやＣＤの記録内容を示すもので、顧客はこのタイトル紙を見て好みのＤＶＤやＣＤを借りることが出来る。ところで、このタイトル紙は陳列ケース（イ）の表面に設けている透明シートに挟まれて取付けられるが、同図に示している状態ではタイトル紙を挟み込むことは出来ない。
【０００５】
直方体の陳列ケース（イ）は本のように開くことが出来る構造としている為に、開くことで両端が固着している透明シートはダブ付いて陳列ケース（イ）の表面との間に隙間(空間)が形成される。この隙間を利用してタイトル紙が挿入され、閉じることで、該タイトル紙は挟持される。従来では、人が陳列ケース（イ）を開いてタイトル紙を挿入し、そして閉じるといった一連の作業を行っているが、多数の陳列ケースにタイトル紙を取付ける作業は面倒であり、多くの時間を要す。
【発明の開示】
【発明が解決しようとする課題】
【０００６】
このように、タイトル紙を透明シートとの間に挿入して挟み込む作業は時間がかかり面倒である。本発明が解決しようとする課題はこの問題点であり、手作業に代わって自動機にてタイトル紙を挟み込むことが出来るようにした陳列ケースを提供する。
【課題を解決するための手段】
【０００７】
本発明に係る陳列ケースは直方体を成して上端は開口し、上端開口からＤＶＤやＣＤを収容した貸出しケースが挿入される形態としている。そして、該陳列ケースは左側板と右側板及び背板を有し、本のように開くことが出来て一面に広がる。すなわち、左側板と背板の間、及び右側板と背板との間には肉厚を薄くした繋ぎ部が形成されて、折り畳んで直方体の陳列ケースに組立てることが出来、又一面に開くことが出来る。さらに、外側(表面側)に反ることも出来る。
【０００８】
陳列ケースの表面には透明シートが貼着されていて、該透明シートの両端は左側板の先端と右側板の先端に固着され、その為に、該左側板、右側板、及び背板との間でタイトル紙を挟み込むことが出来る。そして、左側板、右側板には正面板と底板が起立して設けられ、陳列ケースとして組み付ける場合には、左正面板と右正面板は互いに接合し、同じく左底板と右底板は互いに接合し、左右正面板の接合面に形成した凸片が凹溝に嵌って噛み合う。
【０００９】
ところで、本発明の陳列ケースは自動機で開いて透明シートをダブ付かせ、この状態で透明シートとの間にタイトル紙を挿入し、その後で閉じることが出来るように構成している。そこで、左正面板及び右正面板には凹部を形成して、自動機のツメが該凹部に係止して開くことが出来る。そして、閉じる場合には左右正面板及び左右底板がスムーズに抱き合って接合出来るように、各種ガイド部を形成している。このガイド部の具体的な形態については限定しないことにする。
【発明の効果】
【００１０】
本発明の陳列ケースは左正面板及び右正面板に凹部を設けている為に、自動機のツメを該凹部に係止して左側板、右側板、及び背板で構成した陳列ケースを開くことが出来る。そして、開くことで表面に貼着した透明シートがダブ付いた状態でタイトル紙を挿入して挟み込むことが出来る。
【００１１】
そして、その後、左側板及び右側板を閉じて直方体の陳列ケースに組み付けることが可能であり、手作業でタイトル紙を挿入する場合に比較してその作業性は大きく向上する。この場合、左正面板、右正面板、及び底板には複数のガイド部が形成されている為に、開いた状態の上記左正面板、右正面板、及び底板を自動機によってスムーズに閉じて組み付け・接合することが出来る。
【実施例】
【００１２】
図１は本発明に係る陳列ケースの外観図を表し、同図の１は左側板、２は右側板、３は背板を夫々示している。ここで、上記背板３はレンタルショップの陳列棚に配列する際には正面に向いて位置するが、説明の便宜上背板とする。左側板１の先端正面には左正面板が垂直に起立し、右側板２の先端正面には右正面板が垂直に起立している。又、左側板１の下端には左底板が垂直に起立し、同じく右側板２の下端には右底板が垂直に起立している。
【００１３】
そして、上端には開口４が設けられ、この開口４からＤＶＤやＣＤ等を収容した貸出しケースが収納され、収納に際しては上端部が突出した状態となる。又、正面には左正面板５と右正面板６の一部を窪ませて凹部７を設けている。図２は陳列ケースを開いた状態を表しているが、このように、左側板１と右側板２及び背板３は一平面に広がることが出来る。その為に、左側板１と背板３との間、及び右側板２と背板３との間には肉厚を薄くした繋ぎ部１３，１３を設けている。
【００１４】
すなわち、正面に設けている凹部７に自動機のツメを挿入して拡張するならば、左係止部１０と右係止部１１にツメが係止して開かれる。逆に、左側板１と右側板２の表面を押圧することで閉じて図１のような陳列ケースに組み付けることが出来る。この組付けに際して、左正面板５と右正面板６が干渉することなく互いに接合し、同じく左底板８と右底板９が干渉することなく互いに接合することが出来るようにガイド部を形成している。
【００１５】
例えば、多少位置ズレした状態で閉じようとした場合に、上記ガイド部にて正しい位置に導かれることで互いに干渉することなく接合して閉じることが出来る。本発明の陳列ケースは自動機で図２のように開き、この状態で表面に貼着している透明シートとの間にタイトル紙を挿入して再び閉じることが可能な構造としている。
【００１６】
図３は陳列ケースを開いて、弓状に反った場合であるが、表面に貼着している透明シート１４は同図のように表面から離れて間に空間１５が形成される。そこで、この空間１５にタイトル紙を挿入して再び閉じるならば、該タイトル紙は透明シート１４との間に挟み込まれる。
【００１７】
以下、陳列ケースに設けているガイド部について説明する。図４は右側板２に設けているガイド片１６であり、該ガイド片１６は右底板９との間に隙間１７を残して起立している。そして、先端両側は滑らかな円弧としており、この隙間１７に左底板８が嵌入して閉じることが出来る。左底板８の先端がガイド片１６に干渉しても、先端コーナの円弧面１２に当って隙間１７へ導かれる。
【００１８】
そして、左底板８の背板側は上方へ傾斜したガイド片１８を設けている。このガイド片１８は陳列ケースが閉じる際に右底板９に干渉して、左底板８が右底板９と直接干渉しないように持ち上げられる。しかも持ち上げられた左底板８は上記ガイド片１６にガイドされて隙間１７へ導かれる。
【００１９】
図５は左側板１の正面側に形成した凹部左底板１９が右側板２の正面側に形成した凹部右側板２０と凹部右補助底板２１との間に嵌っている状態を示している。同図のように凹部右底板２０と凹部右補助底板２１との間には隙間２２が形成され、この隙間２２に凹部左底板１９が嵌入している。
【００２０】
図６は左正面板５と右正面板６とが抱き合って接合している断面図であるが、左正面板５の内側にはガイド片２３が設けられ、その先端部は傾斜している。そして、該ガイド片２３は右正面板６と凹部右補助底板２１との間に設けている空間２４に嵌っている。左正面板５と右正面板６とが互いに接合するに際して、上記ガイド片２３の傾斜面が凹部右補助底板２１の先端に当って、ガイド片２３が空間２４に嵌入するように導かれる。
【００２１】
ところで、前記図４において、左底板８、右底板９、ガイド片１６の位置関係を逆にして、ガイド片１６を左側板側に設け、左側板８が下側で右側板９を上側とする場合もある。図５において、凹部左底板１９、凹部右底板２０、凹部右補助底板２１の位置関係を逆にすることも出来、左側板１に凹部左底板と凹部左補助底板を設けることもある。さらに、図６において、左正面板５、右正面板６、ガイド片２３、凹部右補助底板２１の位置関係を逆にして、右側板２にガイド片２３を設け、左正面板が外側で右正面板が内側とすることもある。そして、左側板側に凹部左補助底板が形成される。
【００２２】
図５及び図６において、左側板１と右側板２の先端側表面には低いリブ２５，２５が左正面板５及び右正面板６に沿って設けられている。同図では透明シート１４を省略しているが、該リブ２５，２５は透明シート１４にて挟まれるタイトル紙のガイドとして機能している。透明シート１４が固着される領域は左側板１及び右側板２のさらに先端である為に、タイトル紙が横ズレしないように上記リブ２５，２５にて規制している。
【図面の簡単な説明】
【００２３】
【図１】本発明に係る陳列ケースの外観図。
【図２】陳列ケースが開いた状態の平面図。
【図３】陳列ケースを開き、透明シートが垂れて空間が形成されている状態。
【図４】右側板に設けたガイド片と右底板との間の隙間に左底板が嵌っている場合。
【図５】凹部右底板と凹部右補助底板との隙間に凹部左底板が嵌っている場合。
【図６】右正面板と凹部右補助底板の空間にガイド片が嵌入している場合。
【図７】陳列ケースに貸出しケースが上端を突出して収納されている場合。
【符号の説明】
【００２４】
１  左側板
２  右側板
３  背板
４  開口
５  左正面板
６  右正面板
７  凹部
８  左底板
９  右底板
10  左係止部
11  右係止部
12  円弧面
13  繋ぎ部
14  透明シート
15  空間
16  ガイド片
17  隙間
18  ガイド片
19  凹部左底板
20  凹部右底板
21  凹部右補助底板
22  隙間
23  ガイド片
24  空間
25  リブ
【図１】
0005248850.tif 000002
【図２】
0005248850.tif 000003
【図３】
0005248850.tif 000004
【図４】
0005248850.tif 000005
【図５】
0005248850.tif 000006
【図６】
0005248850.tif 000007
【図７】
0005248850.tif 000008